【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
脊椎における第１の椎体及び第２の椎体間の椎間腔内に配置される脊椎インプラントであって、
前記第１の椎体に接触する第１の表面を有する本体と、
第１の位置にて前記本体に接続された第１の可拡張支持要素であって、前記第１の表面から離れる方に第１の拡張力を加えるように拡張する構成である、第１の可拡張支持要素と、
第２の位置にて前記本体に接続された第２の可拡張支持要素であって、前記第１の表面から離れる方に第２の拡張力を加えるように拡張する構成である、第２の可拡張支持要素と、
前記第１及び第２の可拡張支持要素を拡張するように構成される入力部と
を備え、
脊椎インプラントは、前記入力部を介して脊椎インプラントに単一の入力を印加することによって、前記第１の可拡張支持要素が拡張すると共に前記第１の拡張力が加えられ、かつ前記第２の可拡張支持要素が拡張すると共に前記第２の拡張力が加えられるように構成されており、前記第１の拡張力が前記第２の拡張力よりも大きくなっている、脊椎インプラント。
【請求項２】
前記第１の可拡張支持要素が、第１のシリンダ内に摺動可能に受け入れられる第１のピストンを含んでおり、
前記第２の可拡張支持要素が、第２のシリンダ内に摺動可能に受け入れられる第２のピストンを含んでいる、請求項１に記載の脊椎インプラント。
【請求項３】
前記第１及び第２の可拡張支持要素が、作動流体を前記入力部に供給することによって拡張するように構成されている、請求項２に記載の脊椎インプラント。
【請求項４】
前記第１のピストンが前記第２のピストンよりも大きな横断面積を有する、請求項２〜３のいずれか一項に記載の脊椎インプラント。
【請求項５】
ヒンジ部分を中心として関節運動可能な第１の部分及び第２の部分を備えている請求項４に記載の脊椎インプラント。
【請求項６】
前記第１のピストンが前記ヒンジ部分に配置されている、請求項５に記載の脊椎インプラント。
【請求項７】
前記第２のピストンが、前記脊椎インプラントにおける前記第１及び第２の部分の一方に配置されている、請求項６に記載の脊椎インプラント。
【請求項８】
第３のシリンダ内に摺動可能に受け入れられる第３のピストンをさらに備え、
前記第２のピストンが前記脊椎インプラントにおける前記第１の部分に配置され、
前記第３のピストンが前記脊椎インプラントにおける前記第２の部分に配置されている、請求項７に記載の脊椎インプラント。
【請求項９】
前記第１のピストンが、前記第２のピストン及び前記第３のピストンの両方よりも大きな横断面積を有する、請求項８に記載の脊椎インプラント。
【請求項１０】
前記第１及び第２の可拡張支持要素が、作動流体を前記入力部に供給することによって拡張するように構成されており、
前記入力部が、前記ヒンジ部分とは反対側の前記脊椎インプラントにおける前記第１の部分に配置されている、請求項５〜９のいずれか一項に記載の脊椎インプラント。
【請求項１１】
前記脊椎インプラントが、作動流体を前記第１の部分の前記入力部から前記ヒンジ部分を介して前記第２の部分に導くように構成されている、請求項１０に記載の脊椎インプラント。
【請求項１２】
第１のセグメントと、第２のセグメントと、第３のセグメントとを備え、
前記第１のセグメントが前記第２のセグメントに関節運動可能に接続されており、
前記第３のセグメントが前記第２のセグメントに関節運動可能に接続されており、
前記第２のセグメントが前記第１のセグメントと前記第３のセグメントとの間に配置されており、
前記第１のピストンが前記第２のセグメントに配置されている、請求項４に記載の脊椎インプラント。
【手続補正２】
【補正対象書類名】明細書
【補正対象項目名】００６１
【補正方法】変更
【補正の内容】
【００６１】
本発明を特定の実施形態を参照して説明してきたが、これらの実施形態は、本発明の原
理及び用途の単なる例示にすぎないことを理解されたい。従って、例示的実施形態に対し
て多数の修正がなされてもよいこと、及び添付の請求項によって規定される本発明の精神
及び範囲から逸脱することなく、他の構成が考案されてもよいことを理解されたい。
［実施形態例１］
脊椎における第１の椎体及び第２の椎体間の椎間腔内に配置される脊椎インプラントであって、
前記第１の椎体に接触する第１の表面を有する本体と、
第１の位置にて前記本体に接続された第１の可拡張支持要素であって、前記第１の表面から離れる方に第１の拡張力を加えるように拡張する構成である、第１の可拡張支持要素と、
第２の位置にて前記本体に接続された第２の可拡張支持要素であって、前記第１の表面から離れる方に第２の拡張力を加えるように拡張する構成である、第２の可拡張支持要素と、
前記第１及び第２の可拡張支持要素を拡張するように構成される入力部と
を備え、
脊椎インプラントは、前記入力部を介して脊椎インプラントに単一の入力を印加することによって、前記第１の可拡張支持要素が拡張すると共に前記第１の拡張力が加えられ、かつ前記第２の可拡張支持要素が拡張すると共に前記第２の拡張力が加えられるように構成されており、前記第１の拡張力が前記第２の拡張力よりも大きくなっている、脊椎インプラント。
［実施形態例２］
前記第１の可拡張支持要素が、第１のシリンダ内に摺動可能に受け入れられる第１のピストンを含んでおり、
前記第２の可拡張支持要素が、第２のシリンダ内に摺動可能に受け入れられる第２のピストンを含んでいる、実施形態例１に記載の脊椎インプラント。
［実施形態例３］
前記第１及び第２の可拡張支持要素が、作動流体を前記入力部に供給することによって拡張するように構成されている、実施形態例２に記載の脊椎インプラント。
［実施形態例４］
前記第１のピストンが前記第２のピストンよりも大きな横断面積を有する、実施形態例２〜３のいずれか一項に記載の脊椎インプラント。
［実施形態例５］
ヒンジ部分を中心として関節運動可能な第１の部分及び第２の部分を備えている実施形態例４に記載の脊椎インプラント。
［実施形態例６］
前記第１のピストンが前記ヒンジ部分に配置されている、実施形態例５に記載の脊椎インプラント。
［実施形態例７］
前記第２のピストンが、前記脊椎インプラントにおける前記第１及び第２の部分の一方に配置されている、実施形態例６に記載の脊椎インプラント。
［実施形態例８］
第３のシリンダ内に摺動可能に受け入れられる第３のピストンをさらに備え、
前記第２のピストンが前記脊椎インプラントにおける前記第１の部分に配置され、
前記第３のピストンが前記脊椎インプラントにおける前記第２の部分に配置されている、実施形態例７に記載の脊椎インプラント。
［実施形態例９］
前記第１のピストンが、前記第２のピストン及び前記第３のピストンの両方よりも大きな横断面積を有する、実施形態例８に記載の脊椎インプラント。
［実施形態例１０］
前記第１及び第２の可拡張支持要素が、作動流体を前記入力部に供給することによって拡張するように構成されており、
前記入力部が、前記ヒンジ部分とは反対側の前記脊椎インプラントにおける前記第１の部分に配置されている、実施形態例５〜９のいずれか一項に記載の脊椎インプラント。
［実施形態例１１］
前記脊椎インプラントが、作動流体を前記第１の部分の前記入力部から前記ヒンジ部分を介して前記第２の部分に導くように構成されている、実施形態例１０に記載の脊椎インプラント。
［実施形態例１２］
第１のセグメントと、第２のセグメントと、第３のセグメントとを備え、
前記第１のセグメントが前記第２のセグメントに関節運動可能に接続されており、
前記第３のセグメントが前記第２のセグメントに関節運動可能に接続されており、
前記第２のセグメントが前記第１のセグメントと前記第３のセグメントとの間に配置されており、
前記第１のピストンが前記第２のセグメントに配置されている、実施形態例４に記載の脊椎インプラント。
［実施形態例１３］
脊椎における第１の椎体及び第２の椎体間の椎間腔内に配置される脊椎インプラントであって、前記第１の椎体に接触する第１の表面及び前記第２の椎体に接触する第２の表面を有する脊椎インプラントにおいて、
第１の部分と、
第２の部分と、
前記第１の部分及び前記第２の部分を一緒にするように接続する第１のヒンジであって、前記第１及び第２の部分が前記第１のヒンジを中心として関節運動可能になっており、前記第１のヒンジが第１の剛性リンク及び第２の剛性リンクを備えており、前記第１及び第２の剛性リンクが、それぞれ、前記脊椎インプラントの前記第１及び第２の部分に旋回可能に接続されている、第１のヒンジと
を備えている脊椎インプラント。
［実施形態例１４］
前記脊椎インプラントが前記脊椎の長手軸に沿って拡張可能に構成されている、実施形態例１３に記載の脊椎インプラント。
［実施形態例１５］
前記脊椎インプラントが、作動流体を前記脊椎インプラントに供給することによって拡張するように構成されている、実施形態例１４に記載の脊椎インプラント。
［実施形態例１６］
前記脊椎インプラントにおける前記第１の部分が、第１のシリンダ内に摺動可能に受け入れられる第１のピストンを含んでおり、
前記脊椎インプラントにおける前記第２の部分が、第２のシリンダ内に摺動可能に受け入れられる第２のピストンを含んでいる、実施形態例１５に記載の脊椎インプラント。
［実施形態例１７］
前記脊椎インプラントが、作動流体を前記第１及び第２の剛性リンクの少なくとも１つを介して前記第１の部分及び前記第２の部分間から導くように構成されている、実施形態例１５〜１６のいずれか一項に記載の脊椎インプラント。
［実施形態例１８］
第３の部分と、
前記第２の部分及び前記第３の部分を一緒にするように接続する第２のヒンジであって、前記第２及び第３の部分が前記第２のヒンジを中心として関節運動可能になっており、前記第２のヒンジが第３の剛性リンク及び第４の剛性リンクを含んでおり、前記第３及び第４の剛性リンクが、それぞれ、前記脊椎インプラントの前記第２及び第３の部分に旋回可能に接続される、第２のヒンジと
をさらに備えている実施形態例１３〜１７のいずれか一項に記載の脊椎インプラント。
［実施形態例１９］
前記脊椎インプラントにおける前記第１の部分が第１の長手軸を有しており、
前記脊椎インプラントにおける前記第２の部分が第２の長手軸を有しており、
前記第１のヒンジは、前記第１及び第２の部分が前記第１及び第２の長手軸を互いに一致させる配置とすべく関節運動することを可能とするように構成されている、実施形態例１３〜１８のいずれか一項に記載の脊椎インプラント。
［実施形態例２０］
前記脊椎インプラントが、前記第１の部分から前記第２の部分に延びる長手方向経路を画定しており、
前記脊椎インプラントが、前記長手方向経路の一方側に第１の側を有し、かつ前記長手方向経路の反対側に第２の側を有しており、
前記第１の剛性リンクが、前記第１の側にて前記脊椎インプラントにおける前記第１の部分に旋回可能に接続された第１の端部と、前記第１の側にて前記脊椎インプラントにおける前記第２の部分に旋回可能に接続された第２の端部とを有しており、
前記第２の剛性リンクが、前記第２の側にて前記脊椎インプラントにおける前記第１の部分に旋回可能に接続された第１の端部と、前記第２の側にて前記脊椎インプラントにおける前記第２の部分に旋回可能に接続された第２の端部とを有している、実施形態例１３〜１９のいずれか一項に記載の脊椎インプラント。
［実施形態例２１］
前記脊椎インプラントが、前記第１の部分から前記第２の部分に延びる長手軸を画定しており、
前記脊椎インプラントが、前記長手軸の一方側に第１の側を有し、かつ前記長手軸の反対側に第２の側を有しており、
前記第１の剛性リンクが、前記第１の側にて前記脊椎インプラントにおける前記第１の部分に旋回可能に接続された第１の端部と、前記第２の側にて前記脊椎インプラントにおける前記第２の部分に旋回可能に接続された第２の端部とを有しており、
前記第２の剛性リンクが、前記第２の側にて前記脊椎インプラントにおける前記第１の部分に旋回可能に接続された第１の端部と、前記第１の側にて前記脊椎インプラントにおける前記第２の部分に旋回可能に接続された第２の端部とを有している、実施形態例１３〜１９のいずれか１つに記載の脊椎インプラント。
［実施形態例２２］
前記第２のリンクが屈曲した輪郭を有している、実施形態例２１に記載の脊椎インプラント。
［実施形態例２３］
脊椎における第１の椎体及び第２の椎体間の椎間腔内に配置される脊椎インプラントであって、前記第１の椎体に接触する第１の表面及び前記第２の椎体に接触する第２の表面を有する脊椎インプラントにおいて、
第１の部分と、
第２の部分と、
前記第１の部分及び前記第２の部分を一緒にするように接続する第１のヒンジであって、前記第１及び第２の部分が前記第１のヒンジを中心として関節運動可能になっており、前記第１のヒンジが前記脊椎インプラントの前記第１及び第２の部分に旋回可能に接続された第１の剛性リンクを含んでおり、前記第１の剛性リンクが前記脊椎インプラントの前記第１及び第２の部分間に作動流体を通すように構成される通路を有する、第１のヒンジと
を備えている脊椎インプラント。
［実施形態例２４］
前記脊椎インプラントが前記脊椎の長手軸に沿って拡張可能に構成されている、実施形態例２３に記載の脊椎インプラント。
［実施形態例２５］
前記脊椎インプラントが、作動流体を前記脊椎インプラントに供給することによって拡張するように構成されている、実施形態例２４に記載の脊椎インプラント。
［実施形態例２６］
前記脊椎インプラントの前記第１の部分が、第１のシリンダ内に摺動可能に受け入れられる第１のピストンを含んでおり、
前記脊椎インプラントの前記第２の部分が、第２のシリンダ内に摺動可能に受け入れられる第２のピストンを含んでいる、実施形態例２４〜２５のいずれか一項に記載の脊椎インプラント。
［実施形態例２７］
前記第１のヒンジが、前記脊椎インプラントにおける前記第１及び第２の部分を旋回可能に接続する第２の剛性リンクを含んでいる、実施形態例２３〜２６にいずれか一項に記載の脊椎インプラント。
［実施形態例２８］
前記第２の剛性リンクが、前記脊椎インプラントにおける前記第１及び第２の部分間に作動流体を通すように構成される通路を有している、実施形態例２７に記載の脊椎インプラント。
［実施形態例２９］
前記脊椎インプラントが、前記第１の部分から前記第２の部分に延びる長手方向経路を画定しており、
前記脊椎インプラントが、前記長手方向経路の一方側に第１の側を有し、かつ前記長手方向経路の反対側に第２の側を有しており、
前記第１の剛性リンクが、前記第１の側にて前記脊椎インプラントにおける前記第１の部分に旋回可能に接続された第１の端部と、前記第１の側にて前記脊椎インプラントにおける前記第２の部分に旋回可能に接続された第２の端部とを有しており、
前記第２の剛性リンクが、前記第２の側にて前記脊椎インプラントにおける前記第１の部分に旋回可能に接続された第１の端部と、前記第２の側にて前記脊椎インプラントにおける前記第２の部分に旋回可能に接続された第２の端部とを有している、実施形態例２８に記載の脊椎インプラント。
［実施形態例３０］
前記脊椎インプラントが、前記第１の部分から前記第２の部分に延びる長手軸を画定しており、
前記脊椎インプラントが、前記長手軸の一方側に第１の側を有し、かつ前記長手軸の反対側に第２の側を有しており、
前記第１の剛性リンクが、前記第１の側にて前記脊椎インプラントにおける前記第１の部分に旋回可能に接続された第１の端部と、前記第２の側にて前記脊椎インプラントにおける前記第２の部分に旋回可能に接続された第２の端部とを有しており、
前記第２の剛性リンクが、前記第２の側にて前記脊椎インプラントにおける前記第１の部分に旋回可能に接続された第１の端部と、前記第１の側にて前記脊椎インプラントにおける前記第２の部分に旋回可能に接続された第２の端部とを有している、実施形態例２８に記載の脊椎インプラント。
［実施形態例３１］
前記第２のリンクが屈曲した輪郭を有している、実施形態例３０に記載の脊椎インプラント。
［実施形態例３２］
脊椎における第１の椎体及び第２の椎体間の椎間腔内に配置される脊椎インプラントであって、
前記第１の椎体に接触する第１の表面を有する本体と、
前記本体に接続されており、かつ第２の表面を前記第１の表面から離れる方に平行移動させるように収縮形態から少なくとも１つの拡張形態に拡張する構成である少なくとも１つの可拡張支持要素であって、前記第２の表面が第２の椎体に接触するように配置されている、少なくとも１つの可拡張支持要素と、
複数の連続的な係止形態となるように前進可能に構成された係止システムであって、前記複数の連続的な係止形態が、それぞれ、前記可拡張支持要素の連続的な段階の拡張に対応しており、前記係止システムが、前記係止システムを前記複数の係止形態の１つに位置決めしたときに、前記収縮形態に向かう前記可拡張支持要素の移動を阻止するように構成されており、前記係止システムがカムの作用によって前記複数の連続的な係止形態のそれぞれに位置決め可能に構成される、係止システムと
を備えている脊椎インプラント。
［実施形態例３３］
前記カムが、前記少なくとも１つの可拡張支持要素の外表面上に画定されており、かつ前記本体に連結された従動子に係合可能になっている、実施形態例３２に記載の脊椎インプラント。
［実施形態例３４］
前記従動子と前記カムとの係合が、前記少なくとも１つの可拡張支持要素の回転を引き起こすようになっている、実施形態例３３に記載の脊椎インプラント。
［実施形態例３５］
前記係止システムが、前記可拡張支持要素を前記少なくとも１つの拡張形態に拡張したときに複数の個別の位置にて下側段の階層配列体に係合可能な上側段の階層配列体を含んでいる、実施形態例３２〜３４のいずれか一項に記載の脊椎インプラント。
［実施形態例３６］
ラチェット要素が、前記係止システムが先行する係止形態に戻ることを阻止するように構成されている、実施形態例３２〜３５のいずれか一項に記載の脊椎インプラント。
［実施形態例３７］
前記ラチェット要素は、前記収縮形態への前記可拡張支持要素の移動を可能にすべく、機能しなくなるように構成されている、実施形態例３６に記載の脊椎インプラント。
［実施形態例３８］
前記少なくとも１つの可拡張支持要素が、前記本体に連結されたシリンダ内に摺動可能に受け入れられるピストンを含んでいる、実施形態例３２〜３７のいずれか一項に記載の脊椎インプラント。
［実施形態例３９］
脊椎における第１の椎体及び第２の椎体間の椎間腔内に配置されるようになっており、遠位端部及び近位端部を有し、かつ前記第１の椎体に接触する第１の表面及び前記第２の椎体に接触する第２の表面を有する脊椎インプラントであって、第１の部分と、第２の部分と、前記第１の部分及び前記第２の部分を一緒にするように接続するヒンジであって、前記第１及び第２の部分が前記第１のヒンジを中心として関節運動可能になっており、前記ヒンジが前記脊椎インプラントの前記遠位端部に位置する、ヒンジとを含む脊椎インプラントと、
前記脊椎インプラントの前記近位端部における工具インターフェイスに接続可能な工具であって、前記脊椎インプラントの前記第１及び第２の部分を前記ヒンジを中心として互いに離れる方に拡げるように構成される拡張具を有する工具と
を備えている脊椎インプラントシステム。
［実施形態例４０］
前記拡張具が、前記脊椎インプラントにおける前記第１及び第２の部分を互いに離れる方に拡げるように、前記第１の部分及び第２の部分間にて画定された空間内に挿入可能に構成されている、実施形態例３９に記載の脊椎インプラントシステム。
［実施形態例４１］
前記脊椎インプラントの前記遠位端部から前記脊椎インプラントの前記近位端部に向かう前記拡張具の移動が，前記脊椎インプラントにおける前記第１及び第２の部分の互いに離れる方への拡張をもたらすようになっている、実施形態例４０に記載の脊椎インプラントシステム。
［実施形態例４２］
前記拡張具が少なくとも１つの隆起面を備えており、
前記少なくとも１つの隆起面が、前記脊椎インプラントにおける前記第１及び第２の部分の互いに離れる方への拡張をもたらすように、前記脊椎インプラントの前記遠位端部から前記脊椎インプラントの前記近位端部に向かう前記拡張具の移動中に、前記脊椎インプラントにおける前記第１及び第２の部分の少なくとも１つに係合可能に構成されている、実施形態例４１に記載の脊椎インプラントシステム。
［実施形態例４３］
前記脊椎インプラントが前記脊椎の長手軸に沿って拡張可能に構成されている、実施形態例３９〜４２のいずれか一項に記載の脊椎インプラントシステム。
［実施形態例４４］
前記工具が、前記脊椎の長手軸に沿った前記脊椎インプラントの拡張を制御するように構成されている、実施形態例４３に記載の脊椎インプラントシステム。
［実施形態例４５］
前記脊椎インプラントが、作動流体を前記工具を通して前記脊椎インプラントの前記近位端部におけるポートに供給することによって拡張できるように構成されている、実施形態例４４に記載の脊椎インプラントシステム。
［実施形態例４６］
前記脊椎インプラントが、前記作動流体によって拡張可能な第１のピストンをさらに含んでおり、
前記第１のピストンが前記ヒンジに配置されている、実施形態例４５に記載の脊椎インプラントシステム。
［実施形態例４７］
前記脊椎インプラントが、前記作動流体によって拡張可能な第２のピストンをさらに含んでおり、
前記第２のピストンが、前記脊椎インプラントにおける前記第１及び第２の部分の一方に配置されている、実施形態例４６に記載の脊椎インプラント。
［実施形態例４８］
前記脊椎インプラントが、前記作動流体によって拡張可能な第３のピストンをさらに備えており、
前記第２のピストンが、前記脊椎インプラントにおける前記第１の部分に配置されており、
前記第３のピストンが、前記脊椎インプラントにおける前記第２の部分に配置されている、実施形態例４７に記載の脊椎インプラント。
［実施形態例４９］
前記第１のピストンが、前記第２のピストンよりも大きな横断面積を有している、実施形態例４７〜４８のいずれか一項に記載の脊椎インプラント。
［実施形態例５０］
前記作動流体のための前記ポートが、前記脊椎インプラントにおける前記第１の部分に配置されている、実施形態例４５〜４９のいずれか一項に記載の脊椎インプラント。
［実施形態例５１］
前記脊椎インプラントが、前記作動流体を前記第１の部分の前記ポートから前記ヒンジを通って前記第２の部分に導くように構成されている、実施形態例５０に記載の脊椎インプラント。